(57)【要約】【課題】  多様な状況の施工現場において、壁パネルとその補強材とを用いての対応の自由度が大きく、作業は簡便で、煩雑さや部材の管理、コストの増大をもたらすことなく、間仕切り壁の形成等の所要の施工を適切に行う。【解決手段】  四周を形成する枠材と前後面に配設固定された面材６Ａ，６Ｂとを有する壁ペネルにおいて、対向辺となる枠材の少くとも一辺の枠材は、たとえば上部横枠材４Ａとしてその断面は長方形であって、この長方形の短辺を横辺として、面材６Ａ，６Ｂに固定されずにその端部よりも外側に突出されて仮固定されている壁パネルを用い、上部横枠材４Ａを取外し、面材６Ａ，６Ｂ間に補強材７を挿入した後に、取外した上部横枠材４Ａを９０°回転させた状態で戻して固定し、その後に建込み固定する。【選択図】図１
2006233440.tif 000002
【特許請求の範囲】
【請求項１】
四周を形成する枠材と前後面に配設固定された面材とを有する壁パネルにおいて、対向辺となる枠材の少くとも一辺の枠材はその断面は長方形であって、この長方形の短辺を横辺とし、面材に固定されずに面材の端部よりも外側に突出されて仮固定されていることを特徴とする壁パネル。
【請求項２】
断面長方形の短辺を横辺として仮固定されている枠材は、横枠材として縦枠材に対して横枠勝ちに配置されていることを特徴とする請求項１の壁パネル。
【請求項３】
請求項１または２の壁パネルを用いた壁パネルの建込み施工方法であって、断面長方形の短辺を横辺として仮固定されている枠材を取外し、面材間の隙間に補強材を挿入した後に、取外した枠材をその横辺を９０°回転させた状態で戻して固定し、その後に建込みすることを特徴とする壁パネルの建込み施工方法。
【発明の詳細な説明】
【技術分野】
【０００１】
本願発明は、石膏ボード等を面材として内装用等に用いられる壁パネルとその建込み施工方法に関するものである。
【背景技術】
【０００２】
従来より、面材として石膏ボードや合板を配設した壁パネルが間仕切り壁の形成等に用いられてきている。通常、壁パネルは、四周を形成する枠材と前後面に配設される石膏ボードや合板等の面材とによって基本的に構成されており、その平面大きさによっては縦や横の胴縁が配設され、さらに、施工現場に応じて設備の固定や壁Ｔ接合等の形成が必要な場合には、面材間に補強材を配設固定することが行われてきている。
【０００３】
しかしながら、このような従来の壁パネルにおいては、補強材を配設して建込み施工しようとする場合に、施工性や部材の管理、コスト等の点においていくつかの解決すべき問題点があった。従来、たとえば補強材を配設して図４に示したような壁パネル１、２によってＴ（字）接合部を形成する場合、一般的には、あらかじめ工場等において縦枠材３と横枠材４、そして必要に応じて配設される縦胴縁５により基本的に構成される枠体において、図４のα−α矢視断面として模式的に示した図５の手順のように、＜Ａ＞片側のみに石膏ボード等の面材６Ｂを貼着した片面パネルを生産し、＜Ｂ＞施工現場にて補強材７を所要の位置に配設し、＜Ｃ＞その後残りの片側に面材６Ａを貼り付けて建込みを行っている。
【０００４】
しかし、この場合には、施工現場で所定の位置に補強材７を配設した後に面材６Ｂを貼着することになるため現場作業の労力、時間が増え、端材等のゴミも発生して作業そのものが煩雑になるという問題があった。
【０００５】
そこで、このような問題点を解消するために、工場等の生産において、たとえば四周を縦横の枠材３、４で囲んだ枠体内にあらかじめ補強材７を配置した枠体の両側に石膏ボード等の面材６Ａ、６Ｂを貼着した壁パネルを作成し、これらを施工現場において建込み、複数の壁パネルをお互いに連結、接合させるようにすることが考えられる。しかしながら、施工現場での連結、接合の位置は多様であって、現場での位置修正も随時必要になる。このため、上記のような補強材の配設位置は多様、多数となり、これらをあらかじめ作製準備しておくことは、膨大な数の品種となり、その管理や壁パネルの生産と施工のコストアップが避けられないことになる。
【０００６】
そして上記のように補強材７をあらかじめ配設し、両側の面材６Ａ、６Ｂを貼着した壁パネルだけでなく、室内の構造や設備の配置等に対応するために、枠体と面材とを取付け固定した壁パネルとして、面材にあらかじめ切欠き等を設けておくことも考えられ、たとえば室内側の上下に面材の切欠きによる隙間を設けることが提案されてもいる（特許文献１および２）。
【０００７】
だが、あらかじめ補強材の配設や面材加工を施してある壁パネルは、特定の定型化された施工に対応できるだけであって、多様な状況の施工現場において簡便に、しかも煩雑な作業やコスト増をもたらすことなく、壁パネル面と補強材を用いて所要の施工を適切に行うことのできる方策はこれまでのところ実現されていない。
【特許文献１】特開平１１−１６６２９１号公報
【特許文献２】登録実用新案第３０４９５３８号
【発明の開示】
【発明が解決しようとする課題】
【０００８】
本願発明は、上記のとおりの背景から、従来の壁パネルとその建込み施工の問題点を解消し、多様な状況の施工現場において、壁パネルとその補強材とを用いての対応の自由度が大きく、作業は簡便で、煩雑さや部材の管理、コストの増大をもたらすことなく、間仕切り壁の形成等の所要の施工を適切に行うことのできる、新しい壁パネルとこれを用いた建込み施工方法を提供することを課題としている。
【課題を解決するための手段】
【０００９】
本願発明の壁パネルは、上記の課題を解決するものとして以下のことを特徴としている。
【００１０】
第１：四周を形成する枠材と前後面に配設固定された面材とを有する壁パネルにおいて、対向辺となる枠材の少くとも一辺の枠材はその断面は長方形であって、この長方形の短辺を横辺とし、面材に固定されずに面材の端部よりも外側に突出されて仮固定されている。
【００１１】
第２：上記の断面長方形の短辺を横辺として仮固定されている枠材は、横枠材として縦枠材に対して横枠勝ちに配置されている。
【００１２】
また、本願発明の建込み施工方法は、上記の壁パネルを用いた壁パネルの建込み施工方法であって、断面長方形の短辺を横辺として仮固定されている枠材を取外し、面材間の隙間に補強材を挿入した後に、取外した枠材をその横辺を９０°回転させた状態で戻して固定し、その後に建込みすることを特徴としている。
【発明の効果】
【００１３】
本願の上記第１の壁パネルの発明によれば、四周を形成する枠材と前後面に配設固定された面材とを有している壁パネルであって、あらかじめ補強材が取付け固定されていないため、同一構成のものとして工場等での生産と管理が容易でコスト増をもたらすこともない。そして、この壁パネルでは、断面長方形の短辺を横辺として仮固定されている枠材が面材に固定されずに面材の端部よりも外側に突出しているので、この突出が目印となって、仮固定されている枠材の存在が直ちに視認でき、これを容易に取り外し、補強が必要な壁パネルにだけに施工現場で面材間に補強材を所要の位置で正確に挿入固定して取付けることで、簡便に建込みに用いる壁パネルとすることができる。
【００１４】
また、本願発明の第２の壁パネルの発明によれば、横枠材が縦枠材に対して横枠勝ちに配置されていることから、縦枠間に他の枠材や胴縁等がない場合でも、面材の間の内部隙間に落込んだり、位置がずれる心配もなく、生産、そして施工現場における建込みも容易となる。
【００１５】
本願発明の建込み施工方法によれば、以上のような効果がもって、コスト増をもたらすことなく、簡便で、施工精度の高い施工が可能となる。
【発明を実施するための最良の形態】
【００１６】
本願発明は上記のとおりの特徴をもつものであるが、以下にその実施の形態について説明する。
【００１７】
図１は本願発明の壁パネルの一実施形態を例示した斜視図である。この実施形態においては、図１のように、四周を形成する枠材としての左右の縦枠材３と縦胴縁５、並びに上部横枠材４Ａと下部横枠材４Ｂとからなる枠体の前後両面に配設された面材６Ａ，６Ｂとを有している。そして、対向辺となる上下横枠材４Ａ，４Ｂの一辺としての上部横枠材４Ａは、その断面が長方形であって、この断面長方形の長辺としての縦辺の幅ＷＢは、面材６Ａ，６Ｂを貼着している縦枠３の厚みｔと同じ寸法（ＷＢ＝ｔ）とし、断面長方形の短辺としての横辺の幅ＷＡはこの縦辺の幅ＷＢよりも薄く（ＷＡ＜ＷＢ）している。
【００１８】
上部横枠材４Ａは、図１のように、縦枠材３や縦胴縁５の上端部にたとえばステープル８等によって仮固定されているが、面材６Ａ，６Ｂのいずれにも固定されていない。面材６Ａ，６Ｂの両方、もしくはいずれか一方との間には隙間が生じることになる。面材６Ａ，６Ｂの両方との間に隙間が設けられている場合には、縦枠材３等の枠材と面材６Ａ，６Ｂとの貼着のためのロールコータによる接着剤の塗布が上部横枠材４Ａには及ばないため、不必要な接着がなく、生産上の無駄がない。
【００１９】
また、上部横枠材４Ａでは、その横辺の幅ＷＡは、通常は、縦枠材３等に貼着固定されていない面材６Ａ，６Ｂの上部張り出し部の長さｌと同一（ＷＡ＝ｌ）とし、上部横枠材４Ａが、面材６Ａ，６Ｂの上端部よりも外側に突出するようにしている。
【００２０】
上記のように横枠材４Ａを薄くして面材６Ａ，６Ｂに貼着固定せずに縦枠材３等の上端部に仮固定していることから、この仮固定を解除することは容易である。しかも、上記のように、縦辺の幅ＷＢを縦枠３の厚みｔと同一とし、かつ横辺の幅ＷＡを、面材の上部張り出し部の長さｌと同一とする場合には、上部横枠材４Ａは、仮固定を解除して９０°回転させて縦枠材３の上端部に納めることで、面材６Ａ，６Ｂの上端部と横枠材４Ａとが上端面一となった壁パネルを簡便、かつ容易に構成することができる。
【００２１】
また、上記のように、上部横枠材４Ａは、図１の状態、つまり仮固定されている状態では面材６Ａ，６Ｂの上端部よりも外側上方に突出されていることから、この突出が目印となって、上部横枠材４Ａの存在が容易に目視確認できることになる。
【００２２】
そして上記の壁パネルの場合には、同一構成のものとして工場等での生産と管理が容易で、従来に比べて生産・管理のコスト増をもたらすこともない。
【００２３】
そして上記のような壁パネルにおいては、たとえば図２に例示したような壁パネルＴ接合部構造を補強材７の配設をもって建込み施工する場合、図１、図２のα−α矢視断面とし模式的に示した図３の手順のように、＜Ａ＞ステープル等により縦枠材３に仮固定されている上部横枠材４Ａの存在を視認し、その仮固定を解除して取り外し、＜Ｂ＞面材６Ａ，６Ｂ間の隙間に上方より補強材７を挿入し、所要の位置にこれを配置固定し、＜Ｃ＞その後に、上部横枠材４Ａを９０°回転させて面材間６Ａ，６Ｂと縦枠材３の上端部に納めて固定することができる。補強材７については上部横枠材４Ａ以外のほかの枠材と同じものとすることで、他の枠材と同様に面材６Ａ，６Ｂ間に円滑かつ確実に納めることができる。このため、このような作業は補強材の配置位置を正確に定めて極めて簡便、かつ容易に行うことができる。
【００２４】
実際の建込み施工においては、現場によっては、図１および図３＜Ａ＞の状態のように仮固定されている上部横枠材４Ａの上方への突出によって、そのままでは図３＜Ａ＞のように天井面（９）に当たる場合があるが、上記の作業＜Ｃ＞が終了した段階で壁パネルを建込みばよいので何ら問題は生じない。
【００２５】
なお、図２のようなＴ接合構造の形成では、補強材７を配設した壁パネルを受け側として、斜め方向への釘打ち（１０）やネジ固着等により強固なパネル結合を行うことができる。また、図１および図２の例示においては、薄くして面材の端部より突出させた横枠材として上部横枠材４Ａの場合についてのみ示しているが、これに限られることなく、下部横枠材４Ｂの場合も同様であってよい。壁パネルにおいては、縦、横の関係は、その設置方法や場所によっても見方が変わることから、縦枠材、横枠材の説明は上記の例によって限定されることはない。
【００２６】
ただ、建込み施工時に目視しやすいことから、横枠材は、上記の上部横枠材４Ａの例のように上部に設置することが好適に考慮される。また、横枠材は、図１および図２のように、縦枠材３に対して横枠勝ちに配置することが好ましい。横枠勝ちとすることで、ステープル８による仮固定や、釘打ち固定が容易であって、しかも、面材６Ａ，６Ｂの間の隙間に横枠材が落下してしまうことを未然に防止できるからである。
【００２７】
なお、図１および図２の例では、上部横枠材４Ａにパネル内通線用孔（１１）が設けられているが、これは配線や配管用の孔としてさらに様々に配置可能であって、下部横枠材４Ｂ等に設けてもよいことは言うまでもない。また、図１および図２の例では下部横枠材４Ｂと面材下端部とにはこれらは床面への固定等を考慮して段差部１２を設けているが、何らこれらに限定されることはない。段差部１２は設けなくてもよい。さらにまた、必要に応じて面材６Ａ，６Ｂには、コンセント配置孔等の切欠きや適宜な化粧を施してもよい。
【００２８】
さらにまた、本願発明の壁パネルにおいては、図２および図３のような補強材７の配設を必要とする部位にのみ本願発明の壁パネルを使用し、補強材７の配設が必要でない建込み施工の部位には、たとえば上記のような突出されている上部横枠材４Ａがない通常形態の壁パネルを用いることができる。もちろん、たとえば図１の状態の上部横枠材４Ａの仮固定を解除し、これを９０°回転させて面材６Ａ，６Ｂ間と縦枠材３等の上部に取付け固定して使用できることは言うまでもない。いずれの場合であっても、補強材７の要・不要が簡潔に理解でき、作業性も向上する。
【図面の簡単な説明】
【００２９】
【図１】本願発明の壁パネルの一実施形態を例示した一部切欠き斜視図である。
【図２】Ｔ接合構造を本願発明の壁パネルと補強材とをもって建込み施工した場合の例を示した一部切欠き斜視図である。
【図３】補強材の挿入、固定の手順を模式的に示した図１、図２のα−α矢視断面図である。
【図４】Ｔ接合構造を例示した一部切欠き斜視図である。
【図５】従来の壁パネルへの補強材の配設を模式的に示した図４のα−α矢視断面図である。
【符号の説明】
【００３０】
１，２  壁パネル
２  縦枠材
４  横枠材
４Ａ  上部横枠材
４Ｂ  下部横枠材
５  縦胴縁
６Ａ，６Ｂ  面材
７  補強材
８  ステープル
９  天井面
１０  釘打ち
１１  パネル内通線用孔
１２  段差部
【図１】
2006233440.tif 000003
【図２】
2006233440.tif 000004
【図３】
2006233440.tif 000005
【図４】
2006233440.tif 000006
【図５】
2006233440.tif 000007